(57)【要約】      （修正有）【課題】特別な装置を要することなく簡易な構成によりロープ伸びを低減することのできるダブルデッキエレベーターの駆動装置の提供。【解決手段】かご枠１内を互いに上下反対方向に移動可能な上かご２及び下かご３を備えたダブルデッキエレベーターにあって、上かご２及び下かご３を駆動する駆動手段４１の索状体４４は、シーブ４１ａ及びプーリ４２、４３に接する範囲に、ワイヤロープ４４ａが設けられるとともに、シーブ４１ａ及びプーリ４２、４３に接しない範囲に、荷重による伸びの影響が小さい補助索状体、例えば帯鋼４４ｂが設けられている。【選択図】図１
2010126282.tif 000002
【特許請求の範囲】
【請求項１】
かご枠内を互いに上下反対方向に移動可能な上かご及び下かごを備えたダブルデッキエレベーターにあって、前記上かご及び前記下かごを駆動する駆動手段と、前記上かご及び前記下かごの下部に各々複数個備えられるプーリと、前記駆動手段のシーブ及び前記プーリに掛け渡される索状体とを備え、前記駆動手段により前記上かご及び下かごを任意の位置で同時に停止させるダブルデッキエレベーターの駆動装置において、
前記索状体は、前記シーブ及び前記プーリに接する範囲に、ワイヤロープが設けられるとともに、前記シーブ及び前記プーリに接しない範囲に、荷重による伸びの影響が小さい補助索状体が設けられることを特徴としたダブルデッキエレベーターの駆動装置。
【請求項２】
前記補助索状体が、帯鋼からなることを特徴とした請求項１記載のダブルデッキエレベーターの駆動装置。
【請求項３】
前記補助索状体が、棒鋼からなることを特徴とした請求項１記載のダブルデッキエレベーターの駆動装置。
【発明の詳細な説明】
【技術分野】
【０００１】
本発明は、かご枠内に上下２つのかごを有するダブルデッキエレベーターの駆動装置に関する。
【背景技術】
【０００２】
一般に、かご枠内に上下２つのかごを有するダブルデッキエレベーターは、上かごの上部に駆動手段を設置し、この駆動手段と上かごのかご下、及び下かごのかご下に設けたプーリとにロープを掛け渡し、駆動手段により上かご及び下かごを駆動する構成となっている。
【０００３】
このようなダブルデッキエレベーターにあっては、かご内に乗客が乗り込んだり、荷物が載せられたりして、負荷変動が生じると、一般のエレベーターと同様にロープの伸び量に差が生じる。また、経年的にもロープの伸びが発生し、定期的なロープ伸び調整、または交換が必要となっている。特に、ダブルデッキエレベーターのように上下のかごが同じロープで駆動される場合には、ロープの伸びにより、上下かごの互いの位置にずれが生じてくるため調整が必要となる。
【０００４】
そこで、従来、上かご及び下かごを上下動させることにより両者の間隔を変化させるかご位置調整用駆動装置を設け、上かご及び下かごの間隔調整を行うようにしたものが提案されている（例えば、特許文献１参照）。
【特許文献１】特開２００７−３３１８７１（段落番号００１２〜００２８、 第１図）
【発明の開示】
【発明が解決しようとする課題】
【０００５】
しかしながら、前述した従来のものでは、かご位置調整用駆動装置といった特別な装置を要し、コストの向上を招くという問題があった。
【０００６】
本発明は、前述した従来技術における実状からなされたもので、その目的は、特別な装置を要することなく簡易な構成によりロープ伸びを低減することのできるダブルデッキエレベーターの駆動装置を提供することにある。
【課題を解決するための手段】
【０００７】
前記目的を達成するために、本発明の請求項１に係る発明は、かご枠内を互いに上下反対方向に移動可能な上かご及び下かごを備えたダブルデッキエレベーターにあって、前記上かご及び前記下かごを駆動する駆動手段と、前記上かご及び前記下かごの下部に各々複数個備えられるプーリと、前記駆動手段のシーブ及び前記プーリに掛け渡される索状体とを備え、前記駆動手段により前記上かご及び下かごを任意の位置で同時に停止させるダブルデッキエレベーターの駆動装置において、前記索状体は、前記シーブ及び前記プーリに接する範囲に、ワイヤロープが設けられるとともに、前記シーブ及び前記プーリに接しない範囲に、荷重による伸びの影響が小さい補助索状体が設けられることを特徴としている。
【０００８】
このように構成した本発明の請求項１に係る発明では、駆動手段のシーブ及びプーリに掛け渡される索状体として、シーブ及びプーリを通過する範囲に、ワイヤロープを用いるとともに、シーブ及びプーリを通過しない範囲に、荷重による伸びの影響が小さい補助索状体を用いる。これによって、特別な装置を追加することなく簡易な構成によりロープ伸びを低減することができる。
【０００９】
また、本発明の請求項２に係る発明は、前記補助索状体が、帯鋼からなることを特徴としている。
【００１０】
このように構成した本発明の請求項２に係る発明では、補助索状体を帯鋼とすることにより、荷重による伸びの影響を小さなものとすることができる。
【００１１】
また、本発明の請求項３に係る発明は、前記補助索状体が、棒鋼からなることを特徴としている。
【００１２】
このように構成した本発明の請求項２に係る発明では、補助索状体を棒鋼とすることにより、荷重による伸びの影響を小さなものとすることができる。
【発明の効果】
【００１３】
本発明によれば、荷重によるロープ伸びを低減することができ、これによって、ロープ伸び調整頻度を低減でき、ひいては保守費用を抑えることができる。また、特別な装置を要することなく簡易な構成によりロープ伸びの低減を図ることができることから、装置を安価なものとすることができる。
【発明を実施するための最良の形態】
【００１４】
以下、本発明に係るダブルデッキエレベーターの駆動装置の実施の形態を図に基づいて説明する。
【００１５】
図１は本発明に係るダブルデッキエレベーターの駆動装置の第１の実施形態を示す全体構成図、図２はダブルデッキエレベーターのかごの動作を説明する全体構成図、図３はダブルデッキエレベーターのかごの動作を説明する他の全体構成図、図４はワイヤロープと帯鋼との接続を示す正面図である。
【００１６】
ダブルデッキエレベーターは、図１に示すように、上枠１ａ、中間枠１ｂ、下枠１ｃ、及び縦枠１ｄからなり、図示しないガイドレールにガイド部材１ｅ、１ｆを介して摺接案内されるかご枠１と、かご枠１内を互いに上下反対方向に移動可能な上かご２及び下かご３と、上かご２及び下かご３をかご枠１内にて駆動する駆動装置４と、エレベーターの運転を制御する制御装置５とを備えている。
【００１７】
駆動装置４は、上かご２及び下かご３を駆動する駆動手段、例えばモータ４１と、上かご２及び下かご３の下部に各々２つずつ備えられるプーリ４２、４３と、モータ４１のシーブ４１ａ及びプーリ４２、４３に掛け渡される索状体４４とを備えてなっている。
【００１８】
ここで、図２及び図３に基づき上かご２及び下かご３の基本的な動作を説明する。図２は上下かご２、３の階高が最大寸法になるときの状態を示すものである。上部のモータ４１により索状体４４を駆動することによりプーリ４２、４３を介して上かご２及び下かご３を上下させる。このとき上かご２及び下かご３が互いに離れる方向に駆動するが、索状体４４はシーブ４１ａ、プーリ４２、４３を通過する範囲のみで動作できる。また、図３は上かご２及び下かご３を互いに近づけた状態を示すものであるが、図２と同様に索状体４４はシーブ４１ａ、プーリ４２、４３を通過する範囲のみで動作できる。
【００１９】
そして、第１の実施形態の駆動装置４では、索状体４４は、シーブ４１ａ及びプーリ４２、４３に接する範囲に、ワイヤロープ４４ａが設けられるとともに、シーブ４１ａ及びプーリ４２、４３に接しない範囲に、荷重による伸びの影響が小さい補助索状体、例えば帯鋼４４ｂが設けられている。
【００２０】
ここで、索状体４４の詳細を図４に基づき説明する。索状体４４は、図４に示すように、端部を直角に折り曲げた帯鋼４４ｂにワイヤロープ４４ａの端部をシングルロック４４ｃでかしめたものをナット４４ｄにより固定することで構成する。このように構成することで、索状体４４の長さを一定に製作でき、交換もシーブ４１ａ、プーリ４２、４３のどの箇所のロープも共通に交換でき、ロープ長さを１つの種類にできる。また、帯鋼であるために、重さを抑えながら十分な強度も確保でき、簡単に形成することができる。
【００２１】
ワイヤロープ４４ａは、素線の寄り合わせのため、荷重による伸びが生じ易いとともに、経年的にも伸びが発生するが、本実施形態では、ロープ部分が短いためロープ伸びを相対的に小さなものとすることができる。すなわち、本実施形態におけるワイヤロープ４４ａの使用長さは、全範囲をワイヤロープとした場合と比較すると約１／４〜１／６程度にできる。そして、ロープ伸びはワイヤロープ４４ａの長さと比例するので、ロープ伸びを約１／４〜１／６程度に低減できることになる。
【００２２】
第１の実施形態によれば、荷重によるロープ伸びを低減することができ、これによって、ロープ伸び調整頻度を低減でき、ひいては保守費用を抑えることができる。また、特別な装置を要することなく簡易な構成によりロープ伸びの低減を図ることができることから、装置を安価なものとすることができる。
【００２３】
図５は本発明に係るダブルデッキエレベーターの駆動装置の第２の実施形態を示す正面図である。
【００２４】
図５に示すダブルデッキエレベーターの駆動装置では、索状体１４４は、シーブ４１ａ及びプーリ４２、４３に接する範囲に、ワイヤロープ１４４ａが設けられるとともに、シーブ４１ａ及びプーリ４２、４３に接しない範囲に、荷重による伸びの影響が小さい補助索状体、例えば棒鋼１４４ｂが設けられている。すなわち、第２の実施形態における索状体１４４は、図５に示すように、端部にねじ部１４４ｃ、１４４ｄを有する棒鋼１４４ｂにワイヤロープ１４４ａの端部をシングルロック１４４ｅでかしめたものをナット１４４ｆにより固定することで構成する。このように構成することで、索状体１４４の長さを一定に製作でき、交換もシーブ４１ａ、プーリ４２、４３のどの箇所のロープも共通に交換でき、ロープ長さを１つの種類にできる。また、帯鋼であるために、形状変化も少なく、十分な強度を有することができるためより好適に伸びを低減することができ、また、ワイヤロープとの取付けも上記のように構成することで簡単に行うことができる。
【００２５】
図６は本発明に係るダブルデッキエレベーターの駆動装置の第３の実施形態を示す正面図である。
【００２６】
図６に示すダブルデッキエレベーターの駆動装置では、索状体２４４は、シーブ４１ａ及びプーリ４２、４３に接する範囲に、ワイヤロープ２４４ａが設けられるとともに、シーブ４１ａ及びプーリ４２、４３に接しない範囲に、荷重による伸びの影響が小さい補助索状体、例えば棒鋼２４４ｂが設けられている。そして、第３の実施形態のダブルデッキエレベーターの駆動装置は、補助鎖状体が、前述した図５に示すものと同様に棒鋼からなっているがワイヤロープとの接続方法が異なる。すなわち、第３の実施形態における鎖状体２４４は、図６に示すように、端部にねじ部２４４ｃを有する棒鋼２４４ｂと、端部にねじ部２４４ｄ、２４４ｅを有するソケット２４４ｆとを接続するとともに、このソケット２４４ｆと、ワイヤロープ２４４ａの端部をシングルロック２４４ｇでかしめたものとをナット２４４ｈにより固定することで構成する。このように構成することで、鎖状体２４４の長さを一定に製作でき、交換もシーブ４１ａ、プーリ４２、４３のどの箇所のロープも共通に交換でき、ロープ長さを１つの種類にできる。このように本実施形態では、実施の形態で説明した効果に加え、よりワイヤロープと鋼棒との取付けも上記のように構成することでより簡単に行うことができ、取付け時の時の作業性などが向上する。
【図面の簡単な説明】
【００２７】
【図１】本発明に係るダブルデッキエレベーターの駆動装置の第１の実施形態を示す全体構成図である。
【図２】ダブルデッキエレベーターのかごの動作を説明する全体構成図である。
【図３】ダブルデッキエレベーターのかごの動作を説明する他の全体構成図である。
【図４】ワイヤロープと帯鋼との接続を示す正面図である。
【図５】本発明に係るダブルデッキエレベーターの駆動装置の第２の実施形態を示す正面図である。
【図６】本発明に係るダブルデッキエレベーターの駆動装置の第３の実施形態を示す正面図である。
【符号の説明】
【００２８】
１  かご枠
２  上かご
３  下かご
４  駆動装置
５  制御装置
４１  モータ
４２、４３  プーリ
４４、１４４、２４４  鎖状体
４４ａ、１４４ａ、２４４ａ  ワイヤロープ
４４ｂ  帯鋼（補助鎖状体）
１４４ｂ、２４４ｂ  棒鋼（補助鎖状体）
【図１】
2010126282.tif 000003
【図２】
2010126282.tif 000004
【図３】
2010126282.tif 000005
【図４】
2010126282.tif 000006
【図５】
2010126282.tif 000007
【図６】
2010126282.tif 000008